(57)【要約】【課題】任意の利用者が簡便に情報を投稿できると共に、その情報に基づいて効果的な宣伝を実現する情報配信システムを提供する。【解決手段】投稿された複数の映像情報を記憶する映像データベース３８と、予め登録された複数の広告情報を記憶する広告データベース４０と、配信要求に応じて映像データベース３８に記憶された映像情報を配信する映像情報配信制御手段９０と、その映像情報配信制御手段９０により配信される映像情報の中に登録された広告情報が含まれるか否かを検出する広告情報検出手段９２と、その広告情報検出手段９２により所定の広告情報が検出された場合には、予め登録されたウェブサイトを表示させるためのジャンプ情報を表示させるジャンプ情報表示制御手段９４とを、備えたものであることから、配信に係る映像情報の中に予め登録された広告情報が含まれていた場合にはその広告情報に対応するウェブサイトへ誘導することができる。【選択図】図６
2008234530.tif 000002
【特許請求の範囲】
【請求項１】
所定の通信回線を介して複数の通信端末装置に対する情報の配信を行う情報配信システムであって、
前記通信端末装置から投稿された複数の映像情報を記憶する映像データベースと、
それぞれ所定の画像に対応して予め登録された複数の広告情報を記憶する広告データベースと、
前記通信端末装置からの配信要求に応じて前記映像データベースに記憶された映像情報を配信する映像情報配信制御手段と、
該映像情報配信制御手段により配信される映像情報の中に、前記広告データベースに登録された広告情報が含まれるか否かを検出する広告情報検出手段と、
該広告情報検出手段により所定の広告情報が検出された場合には、該広告情報に対応して予め登録された、ＷＷＷサーバ上に存在する所定のウェブサイトを表示させるためのジャンプ情報を表示させるジャンプ情報表示制御手段と
を、備えたものであることを特徴とする情報配信システム。
【請求項２】
前記ジャンプ情報表示制御手段は、前記ジャンプ情報として前記ウェブサイトのＵＲＬに対応するハイパーリンクを表示させるものである請求項１の情報配信システム。
【請求項３】
前記ジャンプ情報表示制御手段は、前記ジャンプ情報として前記ウェブサイトのＵＲＬに対応する二次元コードを表示させるものである請求項１の情報配信システム。
【請求項４】
前記映像データベースは、前記複数の映像情報を、各映像情報の投稿者の識別情報と関連づけて記憶するものであり、前記映像情報配信制御手段による所定の映像情報の配信に際して前記広告情報検出手段により所定の広告情報が検出された場合には、該映像情報の投稿者に所定のポイントを加算するポイント管理手段を備えたものである請求項１から３の何れかの情報配信システム。
【請求項５】
前記映像データベースは、前記複数の映像情報を、各映像情報の投稿者の識別情報と関連づけて記憶するものであり、前記ジャンプ情報表示手段により表示されたハイパーリンクを介して前記ウェブサイトの表示が行われた場合には、該ハイパーリンクに対応する広告情報が検出された映像情報の投稿者に所定のポイントを加算するポイント管理手段を備えたものである請求項２の情報配信システム。
【発明の詳細な説明】
【技術分野】
【０００１】
本発明は、所定の通信回線を介して複数の通信端末装置に対する情報の配信を行う情報配信システムに関し、特に、映像配信による情報宣伝技術の改良に関する。
【背景技術】
【０００２】
所定の通信回線を介して複数の通信端末装置に対する情報の配信を行う情報配信システムが知られており、近年における通信技術の向上に伴いコンテンツビジネスの中核として更なる発展が期待されている。斯かる情報配信システムの一例として、映像配信による情報宣伝システムが提案されている。例えば、特許文献１に記載された広告配信システムがそれである。斯かる技術では、配信対象となる広告映像が所定のサーバ装置のデータベースに蓄積されており、パーソナルコンピュータや携帯電話機等の通信端末装置によりそのサーバ装置へのアクセスが行われることで、上記データベースに蓄積された広告映像がそれら複数の通信端末装置に配信される。
【０００３】
【特許文献１】特開２００５−１２８４７８号公報
【発明の開示】
【発明が解決しようとする課題】
【０００４】
しかし、前述したような従来の技術では、予め配信対象である広告映像を撮影乃至は編集する必要があり、多大な時間及び経費がかかるという弊害があった。ところで、近年、任意の利用者による映像情報の投稿を受け付けると共に、その投稿された映像情報の任意の利用者による閲覧を可能とする映像情報配信サービスが実用化されており、投稿の簡便さと閲覧の容易性から利用者は増加の一途を辿っている。本発明者は、斯かる映像情報配信サービスを所定の商品等の情報の宣伝に用いることを発案し、その投稿の簡便さや閲覧の容易性といった利点を損なうことなく効果的な宣伝システムを実現すべく鋭意研究を継続し、その一結果として本発明を為すに至った。
【０００５】
本発明は、以上の事情を背景として為されたものであり、その目的とするところは、任意の利用者が簡便に情報を投稿できると共に、その情報に基づいて効果的な宣伝を実現する情報配信システムを提供することにある。
【課題を解決するための手段】
【０００６】
斯かる目的を達成するために、本発明の要旨とするところは、所定の通信回線を介して複数の通信端末装置に対する情報の配信を行う情報配信システムであって、前記通信端末装置から投稿された複数の映像情報を記憶する映像データベースと、それぞれ所定の画像に対応して予め登録された複数の広告情報を記憶する広告データベースと、前記通信端末装置からの配信要求に応じて前記映像データベースに記憶された映像情報を配信する映像情報配信制御手段と、その映像情報配信制御手段により配信される映像情報の中に、前記広告データベースに登録された広告情報が含まれるか否かを検出する広告情報検出手段と、その広告情報検出手段により所定の広告情報が検出された場合には、その広告情報に対応して予め登録された、ＷＷＷサーバ上に存在する所定のウェブサイトを表示させるためのジャンプ情報を表示させるジャンプ情報表示制御手段とを、備えたことを特徴とするものである。
【発明の効果】
【０００７】
このようにすれば、前記通信端末装置から投稿された複数の映像情報を記憶する映像データベースと、それぞれ所定の画像に対応して予め登録された複数の広告情報を記憶する広告データベースと、前記通信端末装置からの配信要求に応じて前記映像データベースに記憶された映像情報を配信する映像情報配信制御手段と、その映像情報配信制御手段により配信される映像情報の中に、前記広告データベースに登録された広告情報が含まれるか否かを検出する広告情報検出手段と、その広告情報検出手段により所定の広告情報が検出された場合には、その広告情報に対応して予め登録された、ＷＷＷサーバ上に存在する所定のウェブサイトを表示させるためのジャンプ情報を表示させるジャンプ情報表示制御手段とを、備えたものであることから、特別な映像の撮影乃至は編集を行わずとも、配信に係る映像情報の中に予め登録された広告情報が含まれていた場合にはその広告情報に対応するウェブサイトへ誘導することができる。すなわち、任意の利用者が簡便に情報を投稿できると共に、その情報に基づいて効果的な宣伝を実現する情報配信システムを提供することができる。
【０００８】
ここで、好適には、前記ジャンプ情報表示制御手段は、前記ジャンプ情報として前記ウェブサイトのＵＲＬに対応するハイパーリンクを表示させるものである。このようにすれば、配信に係る映像情報の中に予め登録された広告情報が含まれていた場合において、その広告情報に対応するウェブサイトへの誘導を実用的な態様で実現できる。
【０００９】
また、好適には、前記ジャンプ情報表示制御手段は、前記ジャンプ情報として前記ウェブサイトのＵＲＬに対応する二次元コードを表示させるものである。このようにすれば、配信に係る映像情報の中に予め登録された広告情報が含まれていた場合において、特に撮像装置付きの携帯電話機等の通信端末装置を対象としたその広告情報に対応するウェブサイトへの誘導を実用的な態様で実現できる。
【００１０】
また、好適には、前記映像データベースは、前記複数の映像情報を、各映像情報の投稿者の識別情報と関連づけて記憶するものであり、前記映像情報配信制御手段による所定の映像情報の配信に際して前記広告情報検出手段により所定の広告情報が検出された場合には、その映像情報の投稿者に所定のポイントを加算するポイント管理手段を備えたものである。このようにすれば、投稿者の投稿意欲を煽ることで、更に好適な情報配信システムを実現できる。
【００１１】
また、好適には、前記映像データベースは、前記複数の映像情報を、各映像情報の投稿者の識別情報と関連づけて記憶するものであり、前記ジャンプ情報表示手段により表示されたハイパーリンクを介して前記ウェブサイトの表示が行われた場合には、そのハイパーリンクに対応する広告情報が検出された映像情報の投稿者に所定のポイントを加算するポイント管理手段を備えたものである。このようにすれば、投稿者の投稿意欲を煽ることで、更に好適な情報配信システムを実現できる。
【００１２】
以下、本発明の好適な実施例を図面に基づいて詳細に説明する。
【実施例】
【００１３】
図１は、本発明の一実施例である情報配信システム１０の構成を説明する図である。この図１に示すように、本実施例の情報配信システム１０は、情報配信サービス提供会社によって運営されるサーバ装置１２と、通信端末装置である複数（図１では２つを例示している）のパーソナルコンピュータ１４（以下、ＰＣ１４と称する）と、同じく通信端末装置である複数（図１では２つを例示している）の携帯電話機１６と、有線乃至は無線による所定の通信回線１８とを、備えて構成されている。上記サーバ装置１２及びＰＣ１４は、何れも上記通信回線１８に接続されており、その通信回線１８を介して相互に情報の通信が可能とされている。また、上記携帯電話機１６は中継基地局２０を介して上記通信回線１８に接続されており、上記サーバ装置１２とその携帯電話機１６との間でも相互に情報の通信が可能とされている。
【００１４】
図２は、前記サーバ装置１２の構成を例示する図である。このサーバ装置１２は、中央演算処理装置であるＣＰＵ２２により随時書込読出メモリであるＲＡＭ２６の一時記憶機能を利用しつつ読出専用メモリであるＲＯＭ２４に予め記憶されたプログラムに従って信号処理を行う所謂ノイマン式コンピュータであり、ファイルの管理や入出力制御、上記通信回線１８を介してのアクセス等の管理、その通信回線１８を介しての通信制御等の各種制御を実行するサーバである。また、図２に示すように、ＣＲＴ（Cathode-ray Tube）やＴＦＴ（Thin Film Transistor Liquid Crystal）等の映像表示装置２８と、その映像表示装置２８による映像の表示を制御するための映像表示制御装置であるビデオボード３０と、キーボード等の入力装置３２と、その入力装置３２による入力を処理するための入力インターフェイス３４と、上記ＣＰＵ２２等を前記通信回線１８に接続するためのモデム３６とを、備えて構成されている。また、それぞれハードディスク等の記憶装置に設けられた映像データベース３８、広告データベース４０、及び投稿者データベース４２等の各種データベースを備えている。なお、本実施例では上記映像データベース３８、広告データベース４０、及び投稿者データベース４２がそれぞれ異なる記憶装置に設けられた例について説明するが、それらデータベースが同一の記憶装置に設けられたものであってもよい。
【００１５】
上記映像データベース３８は、通信端末装置である前記ＰＣ１４や携帯電話機１６等から投稿すなわち前記通信回線１８を介してアップロードされた複数の映像情報を記憶する。この映像情報は、例えば、ｍｐｅｇ（Moving Picture Experts Group）形式やａｖｉ（Audio Video Interleaved）形式等の動画ファイルであり、例えば投稿順に定められた所定の識別番号をインデックスとして上記映像データベース３８に記憶されている。また、その映像データベース３８には、投稿に相前後して投稿者により設定（入力）された映像のタイトル、投稿者の識別情報（ＩＤ）、投稿者の名前（ニックネーム）、投稿時（投稿年月日）、投稿者のコメント、及び削除用のパスワード等の情報が各映像情報毎にその映像情報と関連づけられて記憶されている。また、後述する広告データベース４０に登録された広告情報が含まれる映像と、含まれない映像とでそれぞれ個別の映像データベース３８を構成しても構わない。
【００１６】
前記広告データベース４０は、それぞれ所定の画像に対応して予め登録された複数の広告情報を記憶する。図３は、この広告データベース４０の内容の一例を示す図である。この図３に示すように、前記広告データベース４０には、例えば広告主の識別情報（広告主ＩＤ）によって括られる単数乃至は複数の商品がその識別情報（商品ＩＤ）によって定められ、更にその商品の識別情報によって括られる単数乃至は複数のコンテンツがその識別情報（コンテンツＩＤ）によって定められている。本実施例では、斯かるコンテンツＩＤ毎に定められる情報が広告情報に対応する。すなわち、前記広告データベース４０には、各コンテンツＩＤをインデックスとして、対象広告及びサイトＵＲＬが登録されている。この対象広告は、広告情報を定義する画像に相当する情報であり、例えば意匠や標章としての広告に対応するｂｍｐ（bitmap）形式やｊｐｅｇ（Joint Photographic Experts Group）形式の画像（静止画）ファイル、或いは文字を主体とする標章としての広告に対応するテキストファイル等である。また、各広告情報毎に定められたサイトＵＲＬは、その広告情報に対応してＷＷＷサーバ上に設けられた所定の情報宣伝サイトのＵＲＬである。
【００１７】
前記投稿者データベース４２は、通信端末装置である前記ＰＣ１４や携帯電話機１６等から前記映像データベース３８へ映像の投稿を行った投稿者の情報を記憶する。例えば登録順に定められた所定の識別番号（投稿者ＩＤ）をインデックスとして、投稿者の名前（ニックネーム）、登録時（登録年月日）、及びポイント等の情報が各投稿者毎にその投稿者と関連づけられて記憶されている。このポイントは、好適には、前記広告データベース４０に定められた広告主ＩＤ毎に区別されて記憶されたものであり、更に好適には、商品ＩＤ毎に区別されて記憶されたものである。
【００１８】
図４は、前記ＰＣ１４の構成を例示する図である。このＰＣ１４は、中央演算処理装置であるＣＰＵ４４により随時書込読出メモリであるＲＡＭ４８の一時記憶機能を利用しつつ読出専用メモリであるＲＯＭ４６に予め記憶されたプログラムに従って信号処理を行う所謂ノイマン式コンピュータであり、一般にデスクトップパソコンやノートパソコン等と称される家庭用パーソナルコンピュータである。また、図４に示すように、映像表示部として機能するＣＲＴやＴＦＴ等の映像表示装置５０と、その映像表示装置５０による映像の表示を制御するための映像表示制御装置であるビデオボード５２と、キーボード等の入力装置５４と、その入力装置５４による入力を処理するための入力インターフェイス５６と、上記ＣＰＵ４４等を前記通信回線１８に接続するためのモデム５８と、記憶装置であるハードディスク６０とを、備えて構成されている。
【００１９】
図５は、前記携帯電話機１６の構成を例示する図である。この図５に示すように、前記携帯電話機１６は、中央演算処理装置であるＣＰＵ６２と、読出専用メモリであるＲＯＭ６４と、随時書込読出メモリであるＲＡＭ６６と、フラッシュＲＯＭ等の記憶部６８と、表示部７０と、操作部７２と、撮像部７４と、アンテナ７６と、送受信部７８と、モデム部８０と、音声コーディック部８２と、アナログフロントエンド８４と、スピーカ８６と、マイクロフォン８８とを、備えて構成されている。
【００２０】
上記ＣＰＵ６２は、随時書込読出メモリであるＲＡＭ６６の一時記憶機能を利用しつつ読出専用メモリであるＲＯＭ６４に予め記憶されたプログラムに従って信号処理を行う所謂マイクロコンピュータであり、所定の文字ボタン等を備えた操作部７２からの入力に従って文字入力が実行されるように制御したり、その操作部７２から入力された電話番号に従って通信或いは通話チャンネルを成立させると共に相互の通信或いは通話が可能となるように制御したり、その操作部７２から入力されたＵＲＬに従って所定のウェブサイトにアクセスしたり、メールの作成及び送受信を制御する等の基本的な制御を実行する。例えば、前記携帯電話機１６の通話状態においては、上記アンテナ７６を介して送受信部７８に受けた通話信号等がモデム部８０を介して音声コーディック部８２においてデジタルコード信号から音声信号に変換され、アナログフロントエンド８４によりスピーカ８６が駆動されて音声が出力される。同時に、上記マイクロフォン８８により音声から変換された音声信号が上記アナログフロントエンド８４を介して上記音声コーディック部８２に送られてそこでディジタル信号に変換され、上記モデム部８０、送受信部７８、及びアンテナ７６を介して送信される。また、通信状態において、上記ＣＰＵ６２は、上記操作部７２から入力された信号を通信先へ送信すると同時に、通信先から受信された信号を表示部７０に表示させる制御を行う。また、他の通信端末からの着信があったと判定される場合には、上記記憶部６８に予め記憶された着信メロディ情報を読み出し、その着信メロディ情報に基づいて図示しない音源部により所定のメロディ（呼出音）を発生させて前記スピーカ８６から出力させたり、呼出音非出力モードにおいては図示しないバイブレータを駆動させて振動を発生させたりする。
【００２１】
前記撮像部７４は、ＣＣＤ（charge coupled device）等の撮像素子及びレンズを備え、そのレンズから入射される映像をＣＣＤにより検知し、その映像を電子情報（映像データ）として取得する所謂デジタルカメラである。前記携帯電話機１６による画像乃至は映像の撮影に際しては、上記レンズから取り込まれＣＣＤにより電子情報に変換された映像が前記表示部７０に表示された状態で、前記操作部７２により所定の操作が行われることでその映像が撮像され、前記記憶部６８等に所定の画像ファイルの形式で記憶される。
【００２２】
図６は、前記サーバ装置１２のＣＰＵ２２に備えられた制御機能の要部を説明する機能ブロック線図である。この図６に示す映像情報配信制御手段９０は、通信端末装置である前記ＰＣ１４や携帯電話機１６からの配信要求に応じて前記映像データベース３８に記憶された映像情報を配信する。この配信要求は、例えば前記ＰＣ１４や携帯電話機１６により、情報配信サービス提供会社によって経営される所定のウェブサイト（動画配信サイト）にアクセスが行われ、そのウェブサイトに従ってそれらＰＣ１４や携帯電話機１６等により所定の入力操作が行われることにより実行される。図７は、前記ＰＣ１４の映像表示装置５０や携帯電話機１６の表示部７０に表示されるＷＷＷブラウザ９８を介して所定の映像が配信される様子を例示する図である。この図７に示すように、上記映像情報配信制御手段９０は、好適には、上記ウェブサイトに従って前記ＰＣ１４や携帯電話機１６等により所定の映像の配信要求としての入力操作が行われた場合には、該当する映像情報を前記映像データベース３８から読み出し、その映像情報に基づいて出力される映像１００を前記通信回線１８を介してストリーミング配信する。また、その映像情報に対応して登録された投稿者名、投稿時、及び投稿者コメント等を読み出して、図７に示すように配信される映像１００に付帯的に表示させる。
【００２３】
広告情報検出手段９２は、上記映像情報配信制御手段９０により配信される映像情報の中に、前記広告データベース４０に登録された広告情報が含まれるか否かを検出する。好適には、よく知られた画像検出技術（画像解析技術）により、配信に係る映像における所定時間毎の画面（静止画）を明暗、色彩、コントラスト等に基づいて解析し、その画面の中に広告情報に対応する画像に近似した画像が含まれるか否かを判断する。この広告情報に対応する画像とは、前記広告データベース４０に登録された対象広告が画像ファイルである場合にはその画像そのものであり、対象広告がテキストファイルである場合にはそのテキストファイルから所定のフォントに基づいて生成される文字映像（テロップ）である。なお、このフォントは、予め定められた単一のフォントが適用されるものであってもよいし、用意されている複数種類のフォントが一律に適用されるものであってもよい。この場合、それら複数種類のフォントが適用された文字映像それぞれに関して画像の検出が行われる。例えば、対象広告として「ＪＯＹＳＯＵＮＤ」のテキストファイルが登録されている場合を考えると、図７に示すように、上記映像情報配信制御手段９０による配信に係る映像１００にその「ＪＯＹＳＯＵＮＤ」の文字に相当する標章としてのロゴタイプ１０２が含まれていた場合、上記広告情報検出手段９２は、「ＪＯＹＳＯＵＮＤ」の文字に対応する文字映像を基準とする画像解析を行い、斯かる映像１００中に「ＪＯＹＳＯＵＮＤ」のテキストファイルを対象広告とする広告情報が含まれているものと判断する。
【００２４】
ジャンプ情報表示制御手段９４は、上記広告情報検出手段９２により所定の広告情報が検出された場合には、その広告情報に対応して予め登録された、ＷＷＷサーバ上に存在する所定のウェブサイトを表示させるためのジャンプ情報を表示させる。好適には、斯かるジャンプ情報として、図８に示すように、検出された広告情報に対応して前記広告データベース４０に記憶されたウェブサイトのＵＲＬに対応するハイパーリンク１０４を表示させる。また、図８に示すように、上記広告情報検出手段９２により検出された広告情報に相当する画像（配信に係る映像１０２の一部）をそのハイパーリンク１０４と共に表示させてもよい。前記ＰＣ１４や携帯電話機１６のＷＷＷブラウザ９８に表示された画面においてこのハイパーリンク１０４にカーソルが合わせられた状態で所定の操作が行われることで、例えばそのＷＷＷブラウザ９８の表示が切り替わったり、或いは別窓でＷＷＷブラウザ９８が立ち上げられる等してそのハイパーリンク１０４に対応するウェブサイトが表示させられる。
【００２５】
また、上記ジャンプ情報表示制御手段９４は、好適には、上記ジャンプ情報として、図９に示すように、検出された広告情報に対応して前記広告データベース４０に記憶されたウェブサイトのＵＲＬに対応する二次元コード１０６を生成して表示させる。また、図９に示すように、前記広告情報検出手段９２により検出された広告情報に相当する画像をその二次元コード１０６と共に表示させてもよい。この二次元コードとは、例えば日本工業規格「JIS X 0510」に規定されたＱＲコード（株式会社デンソーウェーブ登録商標）のように、二次元（平面）的な図形からなる情報表現符号である。このようにして表示された二次元コード１０６が前記携帯電話機１６の撮像部７４等により撮像されて取り込まれ、前記ＣＰＵ６２によりその二次元コード１０６が解析されることで、その携帯電話機１６により斯かる二次元コード１０６に対応するウェブサイトへのアクセスが行われる。
【００２６】
図６に戻って、ポイント管理手段９６は、前記映像情報配信制御手段９０による所定の映像情報の配信に際して前記広告情報検出手段９２により所定の広告情報が検出された場合には、その映像情報の投稿者に所定のポイントを加算する。具体的には、前記サーバ装置１２の投稿者データベース４２に各投稿者毎に記憶されたポイントに所定ポイント加算する更新を行う。このポイントの加算は、好適には、前記広告データベース４０に定められた広告主ＩＤを単位として行われ、前記広告情報検出手段９２により所定の広告情報が検出された場合、その広告情報に対応する広告主ＩＤに関連して記憶されたポイントに所定のポイントが加算される。また、好適には、上記ポイントの加算は前記広告データベース４０に定められた商品ＩＤを単位として行われ、前記広告情報検出手段９２により所定の広告情報が検出された場合、その広告情報に対応する商品ＩＤに関連して記憶されたポイントに所定のポイントが加算される。
【００２７】
また、上記ポイント管理手段９６は、前記ジャンプ情報表示手段９４により表示されたハイパーリンクを介して前記ウェブサイトの表示が行われた場合には、そのハイパーリンクに対応する広告情報が検出された映像情報の投稿者に所定のポイントを加算する。すなわち、所定の映像情報の配信に際して前記広告情報検出手段９２により所定の広告情報が検出されると共に、前記ジャンプ情報表示手段９４によりその広告情報に対応するウェブサイトを表示させるためのＵＲＬに対応するハイパーリンク１０４が表示された後、そのハイパーリンク１０４がクリックされる等して前記広告情報に対応するウェブサイトの表示が行われた場合には、上記配信に係る映像情報を投稿した投稿者に所定のポイントが加算される。このポイントの加算は、好適には、前記広告データベース４０に定められた広告主ＩＤを単位として行われ、対象となる広告情報に対応する広告主ＩＤに関連して記憶されたポイントに所定のポイントが加算される。また、好適には、上記ポイントの加算は前記広告データベース４０に定められた商品ＩＤを単位として行われ、対象となる広告情報に対応する商品ＩＤに関連して記憶されたポイントに所定のポイントが加算される。
【００２８】
図１０は、前記サーバ装置１２のＣＰＵ２２による映像投稿管理制御の要部を説明するフローチャートであり、所定の周期で繰り返し実行されるものである。
【００２９】
先ず、ステップ（以下、ステップを省略する）ＳＡ１において、前記ＰＣ１４や携帯電話機１６等の通信端末装置から映像情報の投稿（アップロード）が行われたか否かが判断される。このＳＡ１の判断が否定される場合には、ＳＡ５以下の処理が実行されるが、ＳＡ１の判断が肯定される場合には、ＳＡ２において、ＳＡ１の投稿が前記投稿者データベース４２に登録済みの投稿者からの投稿であるか否かが判断される。このＳＡ２の判断が肯定される場合には、ＳＡ４以下の処理が実行されるが、ＳＡ２の判断が否定される場合には、ＳＡ３において、ＳＡ１の投稿に係る利用者の前記投稿者データベース４２への新規登録処理が行われた後、ＳＡ４において、ＳＡ１にて投稿された映像が投稿者の識別情報（投稿者ＩＤ）と関連づけられて前記映像データベース３８に記憶される。次に、ＳＡ５において、前記ＰＣ１４や携帯電話機１６等の通信端末装置により映像を削除するための操作が行われたか否かが判断される。このＳＡ５の判断が否定される場合には、それをもって本ルーチンが終了させられるが、ＳＡ５の判断が肯定される場合には、ＳＡ６において、入力されたパスワードが前記映像データベース３８に記憶されたものと一致するか否かが判断される。このＳＡ６の判断が否定される場合には、ＳＡ７において、前記ＰＣ１４や携帯電話機１６等の通信端末装置にエラー画面を表示させるための処理が行われた後、本ルーチンが終了させられるが、ＳＡ６の判断が肯定される場合には、該当する映像情報が前記映像データベース３８から削除された後、本ルーチンが終了させられる。
【００３０】
図１１は、前記サーバ装置１２のＣＰＵ２２による情報配信制御の要部を説明するフローチャートであり、所定の周期で繰り返し実行されるものである。
【００３１】
先ず、ＳＢ１において、前記ＰＣ１４や携帯電話機１６等の通信端末装置から映像情報の配信要求があったか否かが判断される。このＳＢ１の判断が否定される場合には、それをもって本ルーチンが終了させられるが、ＳＢ１の判断が肯定される場合には、前記映像情報配信制御手段９０の動作に対応するＳＢ２において、要求された映像情報が前記映像データベース３８から読み出され、その映像情報に基づく映像の配信が開始させられる。次に、前記広告情報検出手段９２の動作に対応するＳＢ３において、前記広告データベース４０が参照されて、配信に係る映像に含まれる広告情報の検出処理が行われる。次に、ＳＢ４において、配信に係る映像中に所定の広告情報が検出されたか否かが判断される。このＳＢ４の判断が否定される場合には、ＳＢ８以下の処理が実行されるが、ＳＢ４の判断が肯定肯定される場合には、前記ジャンプ情報表示制御手段９４の動作に対応するＳＢ５において、検出された広告情報に対応して記憶されたウェブサイトのＵＲＬが前記広告データベース４０から読み出され、そのウェブサイトにジャンプするためのジャンプ情報としてのハイパーリンク１０４及び／又は二次元コード１０６を表示させるための処理が行われる。次に、ＳＢ６において、ＳＢ５にて表示されたハイパーリンク１０４がクリックされる等してそのハイパーリンク１０４に対応するウェブサイトが表示されたか否かが判断される。このＳＢ６の判断が肯定される場合には、ＳＢ７において、配信中の映像の投稿者に対応して前記投稿者データベース４２に記憶されたポイント（被クリック数）に１ポイントが加算された後、本ルーチンが終了させられるが、ＳＢ６の判断が否定される場合には、ＳＢ８において、映像の配信終了であるか否かが判断される。このＳＢ８の判断が否定される場合には、ＳＢ３以下の処理が再び実行されるが、ＳＢ８の判断が肯定される場合には、ＳＢ９において、映像の配信中に所定の広告情報が検出され、その広告情報に対応するハイパーリンク１０４及び／又は二次元コード１０６の表示が行われたか否かが判断される。このＳＢ９の判断が否定される場合には、それをもって本ルーチンが終了させられるが、ＳＢ９の判断が肯定される場合には、ＳＢ１０において、配信された映像の投稿者に対応して前記投稿者データベース４２に記憶されたポイント（配信数）に１ポイントが加算された後、本ルーチンが終了させられる。以上の制御において、ＳＢ７及びＳＢ１０が前記ポイント管理手段９６の動作に対応する。
【００３２】
図１２は、前記サーバ装置１２のＣＰＵ２２による映像投稿管理制御の他の一例の要部を説明するフローチャートであり、所定の周期で繰り返し実行されるものである。なお、この図１２に示す制御において、前述した図１０に示す制御と同一のステップについては共通の符号を付してその説明を省略する。この制御において、前述したＳＡ２の判断が肯定される場合には、前記広告情報検出手段９２の動作に対応するＳＡ９において、前記広告データベース４０が参照されて、投稿された映像に含まれる広告情報の検出処理が行われる。次に、ＳＡ１０において、投稿された映像中に所定の広告情報が検出されたか否かが判断される。このＳＡ１０の判断が肯定される場合には、ＳＡ１１において、投稿された映像が投稿者の識別情報と関連づけられて広告付映像に対応して設けられた映像データベース３８に記憶された後、前述したＳＡ５以下の処理が実行されるが、ＳＡ１０の判断が否定される場合には、ＳＡ１２において、投稿された映像が投稿者の識別情報と関連づけられて広告無し映像に対応して設けられた映像データベース３８に記憶された後、前述したＳＡ５以下の処理が実行される。
【００３３】
図１３は、図１２の制御に対応して実行される、前記サーバ装置１２のＣＰＵ２２による情報配信制御の要部を説明するフローチャートであり、所定の周期で繰り返し実行されるものである。なお、この図１３に示す制御において、前述した図１１に示す制御と同一のステップについては共通の符号を付してその説明を省略する。この制御において、前述したＳＢ１の判断が肯定される場合には、ＳＢ１１において、要求された映像が広告付映像に対応して設けられた映像データベース３８に記憶されたものか否かが判断される。このＳＢ１１の判断が肯定される場合には、ＳＢ１２において、広告付映像に対応して設けられた映像データベース３８から要求された映像情報が読み出され、その映像情報に基づく映像の配信が開始された後、前述したＳＢ５以下の処理が実行されるが、ＳＢ１１の判断が否定される場合には、ＳＢ１３において、広告無し映像に対応して設けられた映像データベース３８から要求された映像情報が読み出され、その映像情報に基づく映像の配信が開始された後、本ルーチンが終了させられる。以上の制御において、ＳＢ１２及びＳＢ１３が前記映像情報配信制御手段９０の動作に対応する。
【００３４】
このように、本実施例によれば、前記ＰＣ１４や携帯電話機１６等の通信端末装置から投稿された複数の映像情報を記憶する映像データベース３８と、それぞれ所定の画像に対応して予め登録された複数の広告情報を記憶する広告データベース４０と、前記通信端末装置からの配信要求に応じて前記映像データベース３８に記憶された映像情報を配信する映像情報配信制御手段９０（ＳＢ２、ＳＢ１２、ＳＢ１３）と、その映像情報配信制御手段９０により配信される映像情報の中に、前記広告データベース４０に登録された広告情報が含まれるか否かを検出する広告情報検出手段９２（ＳＢ３、ＳＡ９）と、その広告情報検出手段９２により所定の広告情報が検出された場合には、その広告情報に対応して予め登録された、ＷＷＷサーバ上に存在する所定のウェブサイトを表示させるためのジャンプ情報を表示させるジャンプ情報表示制御手段９４（ＳＢ５）とを、備えたものであることから、特別な映像の撮影乃至は編集を行わずとも、配信に係る映像情報の中に予め登録された広告情報が含まれていた場合にはその広告情報に対応するウェブサイトへ誘導することができる。すなわち、任意の利用者が簡便に情報を投稿できると共に、その情報に基づいて効果的な宣伝を実現する情報配信システム１０を提供することができる。
【００３５】
また、前記ジャンプ情報表示制御手段９４は、前記ジャンプ情報として前記ウェブサイトのＵＲＬに対応するハイパーリンク１０４を表示させるものであるため、配信に係る映像情報の中に予め登録された広告情報が含まれていた場合において、その広告情報に対応するウェブサイトへの誘導を実用的な態様で実現できる。
【００３６】
また、前記ジャンプ情報表示制御手段９４は、前記ジャンプ情報として前記ウェブサイトのＵＲＬに対応する二次元コード１０６を表示させるものであるため、配信に係る映像情報の中に予め登録された広告情報が含まれていた場合において、特に撮像装置としての撮像部７４付きの携帯電話機１６等の通信端末装置を対象としたその広告情報に対応するウェブサイトへの誘導を実用的な態様で実現できる。
【００３７】
また、前記映像データベース３８は、前記複数の映像情報を、各映像情報の投稿者の識別情報と関連づけて記憶するものであり、前記映像情報配信制御手段９０による所定の映像情報の配信に際して前記広告情報検出手段９２により所定の広告情報が検出された場合には、その映像情報の投稿者に所定のポイントを加算するポイント管理手段９６（ＳＢ１０）を備えたものであるため、投稿者の投稿意欲を煽ることで、更に好適な情報配信システム１０を実現できる。
【００３８】
また、前記映像データベース３８は、前記複数の映像情報を、各映像情報の投稿者の識別情報と関連づけて記憶するものであり、前記ジャンプ情報表示手段９４により表示されたハイパーリンク１０４を介して前記ウェブサイトの表示が行われた場合には、そのハイパーリンク１０４に対応する広告情報が検出された映像情報の投稿者に所定のポイントを加算するポイント管理手段９６（ＳＢ７）を備えたものであるため、投稿者の投稿意欲を煽ることで、更に好適な情報配信システム１０を実現できる。
【００３９】
以上、本発明の好適な実施例を図面に基づいて詳細に説明したが、本発明はこれに限定されるものではなく、更に別の態様においても実施される。
【００４０】
例えば、前述の実施例において、前記ジャンプ情報表示制御手段９４は、検出された広告情報に対応するウェブサイトにジャンプするためのジャンプ情報として、そのウェブサイトのＵＲＬを文字列として含むテキスト形式のハイパーリンク１０４を表示させるものであったが、本発明はこれに限定されるものではなく、例えば、図８においてハイパーリンク１０４と共に表示されていた、検出された広告情報に対応する画像（映像１００の一部）をボタンとしてハイパーリンクを張るものであってもよい。また、広告情報に対応するＵＲＬやその広告情報に係る画像とは専ら関係のないテキストや画像を用いてハイパーリンクを張るものであっても構わない。
【００４１】
また、前述の実施例において、前記ポイント管理手段９６は、映像の配信中に広告情報が検出されてジャンプ情報が表示された場合や、そのジャンプ情報を辿って対応するウェブサイトへのアクセスが行われた場合には、配信に係る映像の投稿者に所定のポイントを加算するものであったが、そのポイントは一律に加算されるものでなくともよく、例えば配信に係る映像において広告情報が表示されていた時間に応じてポイントに勾配をかけるものであってもよい。また、広告主ＩＤ、商品ＩＤ、及びコンテンツＩＤに応じてそれぞれ異なるポイントを加算するものであっても、当然に構わない。
【００４２】
また、前述の実施例では特に言及していないが、前記投稿者データベース４２に記憶されたポイントに応じて各投稿者に報酬が支払われるものであってもよい。この場合、好適には、報酬の支払先（例えば、銀行の口座番号等）が前記投稿者データベース４２に各投稿者毎に記憶される。
【００４３】
その他、一々例示はしないが、本発明はその趣旨を逸脱しない範囲内において種々の変更が加えられて実施されるものである。
【図面の簡単な説明】
【００４４】
【図１】本発明の一実施例である情報配信システムの構成を説明する図である。
【図２】図１の情報配信システムに備えられたサーバ装置の構成を例示する図である。
【図３】図２のサーバ装置に備えられた広告データベースの内容の一例を示す図である。
【図４】図１の情報配信システムに備えられた通信端末装置としてパーソナルコンピュータの構成を例示する図である。
【図５】図１の情報配信システムに備えられた通信端末装置として携帯電話機の構成を例示する図である。
【図６】図２のサーバ装置のＣＰＵに備えられた制御機能の要部を説明する機能ブロック線図である。
【図７】図４のパーソナルコンピュータの映像表示装置や図５携帯電話機の表示部に表示されるＷＷＷブラウザにより所定の映像が配信される様子を例示する図である。
【図８】図４のパーソナルコンピュータの映像表示装置や図５携帯電話機の表示部に表示されるＷＷＷブラウザにジャンプ情報としてのハイパーリンクが表示される様子を例示する図である。
【図９】図４のパーソナルコンピュータの映像表示装置や図５携帯電話機の表示部に表示されるＷＷＷブラウザにジャンプ情報としての二次元コードが表示される様子を例示する図である。
【図１０】図２のサーバ装置のＣＰＵによる映像投稿管理制御の要部を説明するフローチャートである。
【図１１】図２のサーバ装置のＣＰＵによる情報配信制御の要部を説明するフローチャートである。
【図１２】図２のサーバ装置のＣＰＵによる映像投稿管理制御の他の一例の要部を説明するフローチャートである。
【図１３】図２のサーバ装置のＣＰＵによる情報配信制御の他の一例の要部を説明するフローチャートである。
【符号の説明】
【００４５】
１０：情報配信システム
１４：パーソナルコンピュータ（通信端末装置）
１６：携帯電話機（通信端末装置）
１８：通信回線
３８：映像データベース
４０：広告データベース
９０：映像情報配信制御手段
９２：広告情報検出手段
９４：ジャンプ情報表示制御手段
９６：ポイント管理手段
１００：映像
１０２：ロゴタイプ（広告情報に対応する画像）
１０４：ハイパーリンク
１０６：二次元コード
【図１】
2008234530.tif 000003
【図２】
2008234530.tif 000004
【図３】
2008234530.tif 000005
【図４】
2008234530.tif 000006
【図５】
2008234530.tif 000007
【図６】
2008234530.tif 000008
【図１０】
2008234530.tif 000009
【図１１】
2008234530.tif 000010
【図１２】
2008234530.tif 000011
【図１３】
2008234530.tif 000012
【図７】
2008234530.tif 000013
【図８】
2008234530.tif 000014
【図９】
2008234530.tif 000015